(57)【要約】樹脂フィルム製袋の開口部に位置する一対のフラップ部の対向する内面に、互いに嵌合／解除可能な凸部と凹部とからなるジッパーを設けたプラスチック製袋の該ジッパーの閉止専用スライダ３０Ａ。このスライダ３０Ａは、前記フラップ部の外側に位置する一対の側脚片３１，３１と、フラップ部の内側に位置して前記ジッパーには届かない長さの中脚片３５とを備え、かつ、側脚片３１，３１に部分的な切欠き３１ａ，３１ａを形成することにより、中脚片３５の側部が露出して露出部分３５ａとされている。スライダの上部から一側部にわたって中脚片と側脚片とでフラップ部を挟み込むスリットが形成されていてもよい。
2004028914.tif 000002
【特許請求の範囲】
【請求項１】
樹脂フィルム製袋の開口部に位置する一対のフラップ部の対向する内面に、互いに嵌合／解除可能な凸部と凹部とからなるジッパーを設けたプラスチック製袋の該ジッパーの閉止専用スライダにおいて、
前記スライダは、前記フラップ部の外側に位置する一対の側脚片と、フラップ部の内側に位置して前記ジッパーには届かない長さの中脚片とを備え、かつ、スライダの上部から一側部にわたって前記中脚片と前記側脚片とでフラップ部を挟み込むスリットが形成されていること、
を特徴とする閉止専用スライダ。
【請求項２】
樹脂フィルム製袋の開口部に位置する一対のフラップ部の対向する内面に、互いに嵌合／解除可能な凸部と凹部とからなるジッパーを設けたプラスチック製袋の該ジッパーの閉止専用スライダにおいて、
前記スライダは、前記フラップ部の外側に位置する一対の側脚片と、フラップ部の内側に位置して前記ジッパーには届かない長さの中脚片とを備え、かつ、前記中脚片の側部が前記側脚片から露出していること、
を特徴とする閉止専用スライダ。
【請求項３】
前記側脚片が部分的に切り欠かれていることにより前記中脚片の側部が露出していることを特徴とする請求の範囲第２項に記載の閉止専用スライダ。
【請求項４】
前記中脚片が前記側脚片より側方に突出することにより中脚片の側部が露出していることを特徴とする請求の範囲第２項に記載の閉止専用スライダ。
【請求項５】
前記側脚片が部分的に切り欠かれていると共に前記中脚片が側脚片より側方に突出することにより中脚片の側部が露出していることを特徴とする請求の範囲第２項に記載の閉止専用スライダ。
【請求項６】
樹脂フィルム製袋の開口部に位置する一対のフラップ部の対向する内面に、互いに嵌合／解除可能な凸部と凹部とからなるジッパーを設けたプラスチック製袋の該ジッパーの開閉用スライダにおいて、
前記スライダは、前記フラップ部の外側に位置する一対の側脚片と、フラップ部の内側に位置して前記ジッパーよりも袋の奥側まで延在する長さの中脚片とを備え、
前記側脚片が部分的に切り欠かれていると共に前記中脚片が側脚片より側方に突出することにより中脚片の側部が露出していること、
を特徴とする開閉用スライダ。
【発明の詳細な説明】
【技術分野】  本発明は、閉止専用スライダ及び開閉用スライダ、特に、樹脂フィルム製袋の開口部に設けたジッパーを閉止するために使用されるスライダ及び該ジッパーを開閉するために使用されるスライダに関する。
【背景技術】  従来、樹脂フィルム製袋として、第１０図に示す袋１が知られている。この袋１は樹脂フィルムを溶着して側部をカット、あるいは溶断したものであり、開口部２に位置する一対のフラップ部３，３の対向する内面に、互いに嵌合／解除可能な凹部８ａと凸部８ｂとからなるジッパー８を設けたものである。なお、ジッパー８の凹凸部８ａ，８ｂの構造、形状には種々のものがある。
この種のプラスチック製袋１のジッパー８を開閉するには、（１）フラップ部３，３を指でつまんで開放し、閉止は専用のスライダで行う、（２）一方向にスライドさせることで閉止し、他方向にスライドさせることで開放する開閉用スライダを使用する、（３）開閉共に指で行う、の３通りの方法がある。
前記（１）で使用される閉止専用スライダの一例を第１１図に示す。この閉止専用スライダ１０は、前記フラップ部３，３の外側に位置する一対の側脚片１１，１１と、フラップ部３，３の内側に位置してジッパー８には届かない長さの中脚片１５とを備えている。このスライダ１０がいずれかの方向にスライドすることにより、側脚片１１，１１の内側に形成した凸部１２，１２がジッパー８の凹凸部８ａ，８ｂを互いに押圧して嵌合させる。中脚片１５はこのスライダ１０が開口部２の端部２ａに到達したときにスライダ１０自体が側方に離脱してしまうのを防止するストッパとして機能する。側脚片１１，１１の内側に形成した突起１３，１３はスライダ１０の上方への抜け止めを図っている。
ところで、この種の閉止専用スライダ１０にあっては、袋１の開口部２から外れないように構成されてはいるが、ある程度の力が作用すると外れてしまう。この場合、スライダ１０を開口部２に装着し直すことは極めて困難である。即ち、中脚片１５をフラップ部３，３の内側に挿入する必要があるが、フラップ部３，３は側脚片１１，１１で押さえられるため、専用の治具を用いることなく手で挿入することは実質上無理である。
また、閉止を開始する際に、開口端部２ａにセットされているスライダ１０をスムーズにスライドさせるには、端部２ａを指でつまんで押さえればよい。しかし、袋１が溶断袋であると端部２ａに指でつまめる余裕がなく、閉止動作の開始がやっかいである。
一方、前記（２）で使用される開閉用スライダとしては、本願発明者が既に提案したものが知られており（特許第２８７１６７１号公報参照）、それを第１２図に示す。この開閉用スライダ２０は、一対の側脚片２１，２１と中脚片２５とからなり、中脚片２５にはジッパー８の凹部８ａ及び凸部８ｂがそれぞれ嵌入される溝部２６が形成されると共に、この溝部２６の上下縁部に膨出部２７，２８が形成され、かつ、溝部２６に隣接して切欠き２９が形成されている。また、側脚片２１，２１の内側には切欠き２９と対向する膨出部２２，２２が形成されている。
この開閉用スライダ２０は、“閉”方向にスライドさせると、ジッパー８の凹凸部８ａ，８ｂが膨出部２２，２２で押圧されて切欠き２９に進入し、互いに嵌合する。これにて、ジッパー８が閉止されることになる。一方、スライダ２０を“開”方向にスライドさせると、凹凸部８ａ，８ｂが中脚片２５で強制的に分離される。即ち、ジッパー８が開放されることになる。
ところで、この開閉用スライダ２０にあっても、開放又は閉止を開始する際に、開口端部２ａにセットされているスライダ２０をスムーズにスライドさせるには、端部２ａを指でつまんで押さえればよいのであるが、前述の如く、袋１が溶断袋であると端部２ａに指でつまめる余裕がなく、開放動作及び閉止動作の開始がやっかいである。
そこで、本発明の目的は、樹脂フィルム製袋の開口部から外れた場合であっても容易に再装着可能な閉止専用スライダを提供することにある。
本発明の他の目的は、前記目的を達成すると共に、ジッパーの閉止動作をスムーズに開始することのできる閉止専用スライダを提供することにある。
本発明のさらに他の目的は、ジッパーの開放動作及び閉止動作をスムーズに開始することのできる開閉用スライダを提供することにある。
【発明の開示】
以上の目的を達成するため、第１の発明に係る閉止専用スライダは、樹脂フィルム製袋の開口部に位置する一対のフラップ部の対向する内面に、互いに嵌合／解除可能な凸部と凹部とからなるジッパーを設けたプラスチック製袋の該ジッパーの閉止専用スライダにおいて、前記スライダは、前記フラップ部の外側に位置する一対の側脚片と、フラップ部の内側に位置して前記ジッパーには届かない長さの中脚片とを備え、かつ、スライダの上部から一側部にわたって前記中脚片と前記側脚片とでフラップ部を挟み込む一対のスリットが形成されていることを特徴とする。
第１の発明に係る閉止専用スライダにあっては、樹脂フィルム製袋の開口部から外れた場合であっても、スリットにフラップ部を挿入させると、中脚片がフラップ部の間に挿入された状態でフラップ部を中脚片と側脚片とでいわば挟み込んだ状態となり、スライダをほぼ９０°強回転させることで、容易に再装着することができる。
さらに、第２の発明に係る閉止専用スライダは、樹脂フィルム製袋の開口部に位置する一対のフラップ部の対向する内面に、互いに嵌合／解除可能な凸部と凹部とからなるジッパーを設けたプラスチック製袋の該ジッパーの閉止専用スライダにおいて、前記スライダは、前記フラップ部の外側に位置する一対の側脚片と、フラップ部の内側に位置して前記ジッパーには届かない長さの中脚片とを備え、かつ、前記中脚片の側部が前記側脚片から露出していることを特徴とする。
第２の発明に係る閉止専用スライダにあっては、樹脂フィルム製袋の開口部から外れた場合であっても、中脚片の露出部分を樹脂フィルム製袋の開口部に位置する一対のフラップ部の間に挿入し、側脚部で前記フラップ部を挟み込みながらスライダをほぼ９０°強回転させることで、容易に再装着することができる。
第２の発明に係る閉止専用スライダにおいては、例えば、側脚片を部分的に切り欠かくこと及び／又は中脚片を側脚片より側方に突出させることによって、中脚片の側部を露出させることができる。
側脚片が部分的に切り欠かれていると共に中脚片が側脚片より側方に突出することにより中脚片の側部が露出している構成を採用すれば、中脚片の露出部分を樹脂フィルム製袋のフラップ部の外側から指でつまむことにより、袋の開口端部を固定してスライダによる閉止動作をスムーズに開始させることができる。
さらに、第３の発明に係る開閉用スライダは、樹脂フィルム製袋の開口部に位置する一対のフラップ部の対向する内面に、互いに嵌合／解除可能な凸部と凹部とからなるジッパーを設けたプラスチック製袋の該ジッパーの開閉用スライダにおいて、前記スライダは、前記フラップ部の外側に位置する一対の側脚片と、フラップ部の内側に位置して前記ジッパーよりも袋の奥側まで延在する長さの中脚片とを備え、前記側脚片が部分的に切り欠かれていると共に前記中脚片が側脚片より側方に突出することにより中脚片の側部が露出していることを特徴とする。
第３の発明に係る開閉用スライダにあっては、側脚片が部分的に切り欠かれていると共に中脚片が側脚片より側方に突出することにより中脚片の側部が露出しているため、中脚片の露出部分を樹脂フィルム製袋のフラップ部の外側から指でつまむことにより、袋の開口端部を固定してスライダによる開放動作及び閉止動作をスムーズに開始させることができる。
【図面の簡単な説明】  第１図は本発明の第１実施形態である閉止専用スライダを示し、（Ａ）は正面図、（Ｂ）は上面図、（Ｃ）は下面図、（Ｄ）は左側面図、（Ｅ）は右側面図、
第２図は前記閉止専用スライダの要部を示し、（Ａ）はＡ−Ａ断面図、（Ｂ）はＢ−Ｂ断面図、（Ｃ）はＣ−Ｃ断面図、（Ｄ）はＤ−Ｄ断面図、
第３図は前記閉止専用スライダの再装着の様子を示す説明図、
第４図は本発明の第２実施形態である閉止専用スライダを示し、（Ａ）は正面図、（Ｂ）は上面図、（Ｃ）は下面図、（Ｄ）は左側面図、（Ｅ）は右側面図、
第５図は本発明の第３実施形態である閉止専用スライダを示し、（Ａ）は正面図、（Ｂ）は斜視図、
第６図は本発明の第４実施形態である閉止専用スライダを示し、（Ａ）は正面図、（Ｂ）は側面図、（Ｃ）は斜視図、
第７図は本発明の第５実施形態である閉止専用スライダを示し、（Ａ）は正面図、（Ｂ）は側面図、
第８図は第７図に示したスライダの閉止動作開始時を示す説明図、
第９図は本発明の第６実施形態である開閉用スライダを示し、（Ａ）は正面図、（Ｂ）は左側面図、（Ｃ）は右側面図、（Ｄ）はＥ−Ｅ断面図、
第１０図は樹脂フィルム製袋の一例を示し、（Ａ）は斜視図、（Ｂ）は開口部の断面図、
第１１図は従来の閉止専用スライダを示し、（Ａ）は正面図、（Ｂ）は側面図、（Ｃ）はＦ−Ｆ断面図、
第１２図は従来の開閉用スライダを示し、（Ａ）は正面図、（Ｂ）は左側面図、（Ｃ）は右側面図、（Ｄ）はＧ−Ｇ断面図。
【発明を実施するための最良の形態】  以下、本発明に係る閉止専用スライダ及び開閉用スライダの実施形態について、添付図面を参照して説明する。
（第１実施形態、第１図〜第３図参照）
第１図、第２図は本発明の第１実施形態である閉止専用スライダ３０Ａを示す。このスライダ３０Ａは基本的には第１１図に示した従来の閉止専用スライダ１０と同様の構成を有し、第１０図に示した樹脂フィルム製袋１の開口部２に設けたジッパー８を閉止する機能を有し、さらに、開口部２から外れた場合に容易に再装着できる機能を付加したものである。
詳しくは、このスライダ３０Ａは、樹脂フィルム製袋１のフラップ部３，３の外側に位置する一対の側脚片３１，３１と、フラップ部３，３の内側に位置してジッパー８には届かない長さの中脚片３５とを備えている。スライダ３０Ａはいずれかの方向にスライドすることにより、側脚片１１，１１の内側に形成した凸部３２，３２がジッパー８の凹凸部８ａ，８ｂを互いに押圧して嵌合させる。中脚片３５はスライダ３０Ａが開口部２の一端部２ａに到達したときにスライダ３０Ａ自体が側方に離脱してしまうのを防止するストッパとして機能する。側脚片３１，３１の内側に形成した突起３３，３３はスライダ３０Ａが開口部２から上方へ抜けることを防止するためのものである。また、突起３４，３４はスライダ３０Ａが必要以上に下方へ移動することを防止するためのものである。
このスライダ３０Ａにおいて、側脚片３１，３１の一側部根元部分には三角形状の切欠き３１ａ，３１ａが形成されており、中脚片３５の一側部根元部分がこの切欠き３１ａ，３１ａから露出している。符号３５ａはこの露出部分を示す。
このように中脚片３５の側部に露出部分３５ａを設けたのは、スライダ３０Ａに強い外力が作用して袋１の開口部２から外れた場合、再装着を容易にするためのである。即ち、第３図（Ａ）に示すように、まず、スライダ３０Ａを斜めに傾けた状態で、中脚片３５の露出部分３５ａをフラップ部３，３の間に挿入する。そして、第３図（Ｂ）に示すように、スライダ３０Ａを水平状態に回転させる。これにて、側脚片３１，３１がフラップ部３，３の外側に位置すると共に、中脚片３５が先端部分までフラップ部３，３の間に挿入される。さらに、第３図（Ｃ）に示すように、スライダ３０Ａを直立状態まで回転させる。これにて、いわばワンタッチでスライダ３０Ａが袋１の開口部２に取り付けられたことになる。
このような再装着をより一層容易にするために、第２図（Ｄ）に示すように、突起３３，３４の一端部３３ａ，３４ａは削り取られている。
なお、第３図で斜線を付した部分は袋１の側部溶着部分である。第８図の斜線を付した部分も同様に側部溶着部分である。
また、この第１実施形態であるスライダ３０Ａにおいて、前記切欠き３１ａは必ずしも三角形状である必要はなく、第１図（Ａ）に一点鎖線で示すような形状であってもよい。このような形状の切欠きを設けたスライダは、第１実施形態と以下に示す第２実施形態の中間形態であるともいえる。
（第２実施形態、第４図参照）
第４図は本発明の第２実施形態である閉止専用スライダ３０Ｂを示す。このスライダ３０Ｂは前記第１実施形態として示したスライダ３０Ａと基本的には同じ構成からなり、第１図、第２図と同じ部分には同じ符号を付し、重複した説明は省略する。
スライダ３０Ｂにおいて、前記スライダ３０Ａと異なるのは、スライダ３０Ｂの上部から一側部にわたって中脚片３５と側脚片３１，３１とでフラップ部３，３を挟み込む一対のスリット３６，３６を形成した点にある。
このスライダ３０Ｂにあっては、樹脂フィルム製袋１の開口部２から外れた場合であっても、第３図に示したのと基本的には同じ手順で再装着することができる。即ち、開口部２の斜め上方からスリット３６，３６にフラップ部３，３を挿入させると、中脚片３５がフラップ部３，３の間に挿入された状態でフラップ部３，３を中脚片３５と側脚片３１，３１とでいわば挟み込んだ状態となる。その後、スライダ３０Ｂをほぼ９０°強回転させることで、容易に再装着することができる。
（第３実施形態、第５図参照）
第５図は本発明の第３実施形態である閉止専用スライダ３０Ｃを示す。このスライダ３０Ｃは前記第１実施形態として示したスライダ３０Ａと基本的には同じ構成からなり、第１図、第２図と同じ部分には同じ符号を付し、重複した説明は省略する。
スライダ３０Ｃにおいて前記スライダ３０Ａと異なるのは、中脚片３５に突出片部３５ｂを形成して側脚片３１，３１より側方に露出させた点にある。この突出片部３５ｂが前記スライダ３０Ａの露出部分３５ａと同様の機能を発揮し、スライダ３０Ｂを袋１の開口部２へ再装着するのを容易にしている。
（第４実施形態、第６図参照）
第６図は本発明の第４実施形態である閉止専用スライダ３０Ｄを示す。このスライダ３０Ｄは前記第１実施形態として示したスライダ３０Ａと基本的には同じ構成からなり、第１図、第２図と同じ部分には同じ符号を付し、重複した説明は省略する。
スライダ３０Ｄにおいて前記スライダ３０Ａと異なるのは、側脚片３１，３１の両側部分に比較的大きな切欠き３１ｃ，３１ｃを形成し、中脚片３５の両側部を露出させた点にある。符号３５ｃはこの露出部分を示す。このスライダ３０Ｄにあっては、露出部分３５ｃをフラップ部３，３の間にほぼ直交した状態で上方から挿入して袋１の開口部２へ再装着する。
（第５実施形態、第７図、第８図参照）
第７図は本発明の第５実施形態である閉止専用スライダ３０Ｅを示す。このスライダ３０Ｅは前記第１実施形態として示したスライダ３０Ａと基本的には同じ構成からなり、第１図、第２図と同じ部分には同じ符号を付し、重複した説明は省略する。
スライダ３０Ｅにおいて前記スライダ３０Ａと異なるのは、側脚片３１，３１の両側部分に切欠き３１ｄ，３１ｄを形成すると共に、中脚片３５に突出片部３５ｄ，３５ｄを形成した点にある。この突出片部３５ｄ，３５ｄの露出面積は前記スライダ３０Ａ，３０Ｃ，３０Ｄよりも比較的大きい。
突出片部３５ｄは前記スライダ３０Ａの露出部分３５ａと同様の機能を発揮し、スライダ３０Ｅを袋１の開口部２へ再装着するの容易にしている。さらに、突出片部３５ｄは、第８図に示すように、スライダ３０Ｅを開口部２の端部２ａに位置させてジッパー８を閉止する動作を開始する際、一方の手の指で突出片部３５ｄをフラップ部３，３の外側からつまみ、他方の手の指でスライダ３０Ｅをつまんで矢印ａ方向にスライドさせることにより、閉止動作をスムーズに開始させることができる。
溶断袋１にあっては、端部２ａに指でつまむ余裕がないのであるが、このスライダ３０Ｅでは比較的面積の大きな突出片部３５ｄを設けることで、つまみ代を設けることができた。
（第６実施形態、第９図参照）
第９図は本発明の第６実施形態である開閉用スライダ４０を示す。このスライダ４０は基本的には第１２図に示した従来の開閉用スライダ２０と同じ構成からなり、第１０図に示した樹脂フィルム製袋１の開口部２に設けたジッパー８を開放及び閉止する機能を有し、さらに、開放動作及び閉止動作をスムーズに開始できる機能を付加したものである。
詳しくは、このスライダ４０は、樹脂フィルム製袋１のフラップ部３，３の外側に位置する一対の側脚片４１，４１と、フラップ部３，３の内側に位置してジッパー８よりも袋１の奥側まで延在する中脚片４５とを備えている。さらに、中脚片４５にはジッパー８の凹部８ａ及び凸部８ｂがそれぞれ嵌入される溝部４６が形成されると共に、この溝部４６の上下縁部に膨出部４７，４８が形成され、かつ、溝部４６に隣接して切欠き４９が形成されている。また、側脚片４１，４１の内側には切欠き４９と対向する膨出部４２，４２が形成されている。
この開閉用スライダ４０は、“閉”方向にスライドさせると、ジッパー８の凹凸部８ａ，８ｂが膨出部４２，４２で押圧されて切欠き４９に進入し、互いに嵌合する。これにて、ジッパー８が閉止されることになる。一方、スライダ４０を“開”方向にスライドさせると、凹凸部８ａ，８ｂが中脚片４５で強制的に分離される。即ち、ジッパー８が開放されることになる。
このスライダ４０において、側脚片４１，４１の両側部分に切欠き４１ａ，４１ａが形成されていると共に、中脚片４５に突出片部４５ａ，４５ａが形成されている。この突出片部４５ａ，４５ａは、前記スライダ３０Ｅの突出片部３５ｄと同様に、ジッパー８を開放する動作及び閉止する動作を開始する際に、突出片部４５ａをフラップ部３，３の外側からつまむことでスライダ４０の移動をスムーズに開始させることができる。
なお、本発明に係る閉止専用スライダ及び開閉用スライダは、前記実施形態に限定するものではなく、その要旨の範囲内で種々に変更できることは勿論である。
また、ジッパー付き樹脂フィルム製袋としては、原反の樹脂フィルムにジッパーを溶着して製袋したものの他、ジッパーが一体化されている樹脂フィルムを使用して製袋したものであってもよい。さらに、ジッパーは対向する凹凸部を２列に設けた、いわゆるダブルジッパー構造であってもよい。
【産業上の利用可能性】  以上のように、本発明に係る閉止専用スライダは、ジッパー付き樹脂フィルム製袋の開口部から外れても容易に再装着することができ、ジッパー付き樹脂フィルム製袋のスライダとして有用である。また、本発明に係る閉止専用スライダ及び開閉用スライダは、ジッパーの閉止動作及び／又は開放動作をスムーズに開始させることができ、ジッパー付き樹脂フィルム製袋のスライダとして有用である。
【図１】
2004028914.tif 000003
【図２】
2004028914.tif 000004
【図３】
2004028914.tif 000005
【図４】
2004028914.tif 000006
【図５】
2004028914.tif 000007
【図６】
2004028914.tif 000008
【図７】
2004028914.tif 000009
【図８】
2004028914.tif 000010
【図９】
2004028914.tif 000011
【図１０】
2004028914.tif 000012
【図１１】
2004028914.tif 000013
【図１２】
2004028914.tif 000014
【国際調査報告】
2004028914.tif 000015
2004028914.tif 000016